(57)【特許請求の範囲】
【請求項１】
内部を第１剤用の第１収納室Ａとした容器体６と、容器体口頸部10外周に嵌合させた装着筒部12上端縁より内方へフランジ13を延設するとともに、フランジ13内周縁より容器体内へ第２収納室外周壁14を垂設し、且つ、第２収納室外周壁中央部上方に連結杆15を介してシール筒16を支持してなる装着筒部材７と、上記第２収納室外周壁14下端部に周縁部を嵌着させたフランジ状の底壁20内周縁より上端をシール筒16内周に嵌合させた第２収納室内周壁21を立設するとともに、第２収納室外周壁14とで第２剤用の第２収納室Ｂを画成してなる隔壁部材８と、上記シール筒16内面に下端部を押し下げ可能に嵌合させた押圧筒３の上部に蒸散口４を開閉可能に開口するとともに、装着筒部材７に嵌着した固定筒24と押圧筒３とに一体に張設したフランジ状の反転壁２により押圧筒３を押し下げ可能に支持してなる押圧筒部材５とを備え、押圧筒３の押し下げにより隔壁部材８が離脱して二剤が混合し、混合した二剤を収納する第１収納室Ａ内と外部とが上記蒸散口４を介して連通する如く構成したことを特徴とする二剤混合容器。
【発明の詳細な説明】
【０００１】
【発明の属する技術分野】
本発明は二剤混合容器に関し、詳しくは、液体と粉末或いは液体と顆粒或いは液体相互の組み合わせ等よりなる二剤を収納、保存して使用時に混合使用するのに好適な二剤混合容器に関する。
【０００２】
【従来の技術】
第１剤と第２剤とを使用直前に混合して使用するが、混合して長時間たつと互いに反応して効力を減少する様なものがある。これらは、例えば、各剤を各々べつの容器に収納し、使用に当たっては第３の容器に各剤を注入或いは挿入し、次いで攪拌混合して使用している。従って、使用時には第３の容器が必要となり、混合、攪拌に手間を要する。
【０００３】
これらのなかで、第１剤に第２剤を混合することにより気体を発生する形態のものが知られており、これらの場合には、一般に液状の第１剤をボトルタイプの第１剤容器に収納し、粉末状の第２剤を袋状の第２剤容器に収納したものが知られている。
【０００４】
これらは、第２剤を加えた第１剤容器の上端を蒸散口を備えたキャップで閉塞し、蒸散口より気体を蒸散させる如く構成したものであり、気体の排出量の調整は行えない。
【０００５】
【発明が解決しようとする課題】
本発明は上記した点に鑑みてなされたもので、二剤を別々に且つ同時に保管することができるため、保管に便利で一方を紛失する等の虞はなく、使用に当たっては簡単な操作で二剤を混合でき、また、発生する気体の排出量の調整を行うことができる二剤混合容器を提案するものである。
【０００６】
【課題を解決するための手段】
第１の手段として、以下の通り構成した。即ち、第１剤用の第１収納室Ａと、第１収納室Ａ上方に第１収納室Ａの開口部分を閉塞して設けるとともに、上方からの押圧により一部の分離落下が可能な壁部により画成された第２剤用の第２収納室Ｂと、第２収納室Ｂ上方に第２収納室Ｂの開口部分を閉塞して設けるとともに、周縁部に張設したフランジ状の反転壁２により中央の押圧筒３の押し下げが可能に支持し、且つ、押圧筒３上部に開閉可能な蒸散口４を有する押圧筒部材５とを備え、押圧筒３の押し下げにより第２収納室を構成する一部壁部が分離落下して二剤が混合し、混合した二剤を収納する第１収納室内と外部とが上記蒸散口４を介して連通する如く構成した。
【０００７】
第２の手段として、以下の通り構成した。即ち、内部を第１剤用の第１収納室Ａとした容器体６と、容器体口頸部10外周に嵌合させた装着筒部12上端縁より内方へフランジ13を延設するとともに、フランジ13内周縁より容器体内へ第２収納室外周壁14を垂設し、且つ、第２収納室外周壁中央部上方に連結杆15を介してシール筒16を支持してなる装着筒部材７と、上記第２収納室外周壁14下端部に周縁部を嵌着させたフランジ状の底壁20内周縁より上端をシール筒16内周に嵌合させた第２収納室内周壁21を立設するとともに、第２収納室外周壁14とで第２剤用の第２収納室Ｂを画成してなる隔壁部材８と、上記シール筒16内面に下端部を押し下げ可能に嵌合させた押圧筒３の上部に蒸散口４を開閉可能に開口するとともに、装着筒部材７に嵌着した固定筒24と押圧筒３とに一体に張設したフランジ状の反転壁２により押圧筒３を押し下げ可能に支持してなる押圧筒部材５とを備え、押圧筒３の押し下げにより隔壁部材８が離脱して二剤が混合し、混合した二剤を収納する第１収納室Ａ内と外部とが上記蒸散口４を介して連通する如く構成した。
【０００８】
【発明の実施の形態】
以下、本発明の実施の形態を図面を参照して説明する。
【０００９】
図面にある如く本発明の二剤混合容器１は、第１剤用の第１収納室Ａと、第１収納室Ａ上方に第１収納室Ａの開口部分を閉塞して設けるとともに、上方からの押圧により一部の分離落下が可能な壁部により画成された第２剤用の第２収納室Ｂと、第２収納室Ｂ上方に第２収納室Ｂの開口部分を閉塞して設けるとともに、周縁部に張設したフランジ状の反転壁２により中央の押圧筒３の押し下げが可能に支持し、且つ、押圧筒３上部に開閉可能な蒸散口４を有する押圧筒部材５とを備え、押圧筒３の押し下げにより第２収納室を構成する一部壁部が分離落下して二剤が混合し、混合した二剤を収納する第１収納室内と外部とが上記蒸散口４を介して連通する如く構成している。
【００１０】
図１及び図２は一例を示し、図示例に於いて、二剤混合容器１は、容器体６と、装着筒部材７と、隔壁部材８と、上記押圧筒部材５とを備えている。
【００１１】
容器体６は、筒状の胴部９上端より小径の口頸部10を起立しており、内部を上記第１収納室Ａとして構成している。また、口頸部10の下部外周には係止突条11を突周設している。
【００１２】
装着筒部材７は、容器体口頸部10外周に嵌合させた装着筒部12を上方への抜け出しを防止して、また、回動を防止して嵌合させ、その上端縁より内方へフランジ13を延設するとともに、フランジ13内周縁より容器体内へ第２収納室外周壁14を垂設している。また、第２収納室外周壁14中央部上方に連結杆15を介してシール筒16を支持している。
【００１３】
詳述すれば、装着筒部12の下部内周面に突設した係合突条17を上記係止突条11下面に乗越え係合させた凹凸係合手段ａにより上方への抜け出しを防止し、また、口頸部10外周上部及び装着筒部12内周上部にそれぞれ周方向多数の縦リブを突設してそれらを互いに係合させ、回動を防止する回り止め機構18としている。また、フランジ13は口頸部上面に下面を当接し、第２収納室外周壁14外周面上端部を口頸部10内周上端部に密嵌してこの部分からの液漏れの防止を図っている。また、上記連結杆15は、第２収納室外周壁14内面上部より中心へ向かって傾斜上昇する棒状をなし、周方向間隔をあけて複数突設しており、シール筒16は、各連結杆15の上端部を下面に一体に連結した筒状をなしている。更に、フランジ13上面からは上記押圧筒部材５の後述する固定筒を嵌合させるための支持筒19を立設している。
【００１４】
隔壁部材８は、上記第２収納室外周壁14下端部に周縁部を嵌着させたフランジ状の底壁20内周縁より上端をシール筒16内周に嵌合させた第２収納室内周壁21を立設するとともに、第２収納室外周壁14とで第２剤用の第２収納室Ｂを画成している。図示例では、底壁20外周縁部に周設した上向き段部22に第２収納室外周壁14下端部を密に嵌着させており、また、第２収納室内周壁21内周面上部に頂板23を横設しており、装着筒部材７と隔壁部材８とで第１収納室Ａ上端を閉塞している。
【００１５】
押圧筒部材５は、シール筒16内面に下端部を押し下げ可能に嵌合させた押圧筒３の上端に蒸散口４を開閉可能に開口するとともに、装着筒部材７に嵌着した固定筒24を押圧筒３とに一体に張設したフランジ状の反転壁２により押圧筒３を押し下げ可能に支持している。
【００１６】
図示例に於いて押圧筒３は、外周面上下方向中間部にフランジ状の係合突部25を突周設した筒状をなし、上端部に周方向複数の蒸散口４を穿設している。この蒸散口４は、上端外周に回動可能に嵌合させたキャップ状部材26により開閉可能に構成している。キャップ状部材26は、係合突部25上方の外周に回動可能に嵌合させた周壁27上端縁より頂壁28を延設して構成しており、上記各蒸散口４と同様大きさの窓孔29を穿設してこの窓孔29が蒸散口４と重複する場合には蒸散口４が開口し、回動させた状態では周壁27により各蒸散口４を閉塞する如く構成している。また、押圧筒３と周壁27との間には上記と同様の凹凸係合手段ａを設けてキャップ状部材26の抜け出し防止を図っている。
【００１７】
上記固定筒24は、上記支持筒19外周に上記と同様の凹凸係合手段ａにより上方への抜け出しを防止して嵌合させた周壁30上端より内方へフランジ31を延設するとともに、フランジ31内周縁より支持筒19内周にシール筒32を嵌合させ、この部分での液漏れ防止を図っている。また、フランジ31の内周縁部と押圧筒３の上記係合突部25外周縁との間に上記反転壁２を一体に張設している。
【００１８】
上記の如く構成した二剤混合容器１は、第１収納室Ａに第１剤ｆを収納し、また、第２収納室Ｂに第２剤ｓを収納し、使用時に混合する。これら第１剤ｆ及び第２剤ｓは混合すると気体が発生する形態のもので、具体的には、消臭剤、芳香剤、殺虫剤等が挙げられるが、これに限られない。第１剤ｆ及び第２剤ｓは、図示例の如く液状の第１剤ｆと粉末状の第２剤ｓとの組み合わせに限らず、それぞれ液状、粉末状、顆粒状、その他種々の形態のものから選択された組み合わせが採用できる。
【００１９】
そして、図１の状態から押圧筒３を押し下げると図２に示す如く隔壁部材８が押し下げられて装着筒部材７より外れ、第１剤及び第２剤の二剤が混合して混合剤ｍを形成し気体が発生する。この際、第１収納室Ａと蒸散口４とが連通し、従って、第１収納室Ａ内と外部が連通する。各蒸散口４の開口程度は、キャップ状部材26を回動させることにより調整することができ、当然閉めることもできる。
【００２０】
尚、上記各部材は合成樹脂により形成すると良い。
【００２１】
【発明の効果】
以上説明した如く本発明の二剤混合容器は、既述構成としたことにより、二剤を分離した状態で同時に保管することができるため、保管に便利で一方を紛失する等の虞はなく、また、使用に当たっては押圧筒を押し下げるという極めて簡単な操作により二剤を混合できる。また、蒸散口は開閉可能に構成しているため、発生する気体の排出量の調整を行うことができ、遮断することも可能である。
【００２２】
また、各部材を順次組み付けつつ充填でき、組み付け，充填作業が容易で、また、上記したシール筒16を備えているため第２収納室Ｂを確実に閉塞でき、第２収納室Ｂの密閉性をより確実に得られる利点を兼ね備えている。
【図面の簡単な説明】
【図１】本発明の一実施例を示す半断面図である。
【図２】同実施例の二剤を混合した状態の半断面図である。
【符号の説明】
２…反転壁，３…押圧筒，４…蒸散口，５…押圧筒部材，６…容器体，
７…装着筒部材，８…隔壁部材，10…口頸部，12…装着筒部，13…フランジ，
14…第２収納室外周壁，15…連結杆，16…シール筒，20…底壁，
21…第２収納室内周壁，24…固定筒，Ａ…第１収納室，Ｂ…第２収納室，
【図１】
0004094308.tif 000002
【図２】
0004094308.tif 000003